(57)【要約】【課題】周囲への良好な配光と、フィンの放熱効率の向上とを両立できるとともに、組立性に優れたランプを提供する。【解決手段】ランプ１Ａは、ランプ軸線ａｘの周りに配置された複数の光源ユニット３を備える。複数の光源ユニット３のそれぞれは、発光素子４ａが配置された発光面を有する光源基板４と、光源基板４の発光面の反対側にあるベース部５と、ベース部５に取り付けられ、光源基板４の発光面を覆うカバー部材６と、ベース部５の光源基板４と反対側の面から突出する放熱フィン７と、を備える。カバー部材６の少なくとも一部は、光を拡散透過させる。各々の光源ユニット３は、放熱フィン７が少なくとも部分的にランプ外周に面するように配置されている。【選択図】図１
2018014302.tif 000002
【特許請求の範囲】
【請求項１】
ランプ軸線の周りに配置された複数の光源ユニットを備え、
前記複数の光源ユニットのそれぞれは、
発光素子が配置された発光面を有する光源基板と、
前記光源基板の前記発光面の反対側にあるベース部と、
前記ベース部に取り付けられ、前記光源基板の前記発光面を覆うカバー部材と、
前記ベース部の前記光源基板と反対側の面から突出する放熱フィンと、
を備え、
前記カバー部材の少なくとも一部は、光を拡散透過させ、
各々の前記光源ユニットは、前記放熱フィンが少なくとも部分的にランプ外周に面するように配置されているランプ。
【請求項２】
各々の前記光源ユニットの前記カバー部材は、隣り合う前記光源ユニットの前記カバー部材に対して非接触である請求項１に記載のランプ。
【請求項３】
各々の前記光源ユニットの前記カバー部材は、隣り合う前記光源ユニットの前記カバー部材に接する請求項１に記載のランプ。
【請求項４】
前記カバー部材は、円柱面に沿う曲面を有する請求項１から請求項３のいずれか一項に記載のランプ。
【請求項５】
各々の前記光源ユニットの前記カバー部材は、隣り合う前記光源ユニットの前記カバー部材に面接触する請求項１に記載のランプ。
【請求項６】
前記カバー部材の外形が角柱状である請求項１、請求項３、及び請求項５のいずれか一項に記載のランプ。
【請求項７】
隣り合う二つの前記光源ユニットの前記カバー部材の外面が、段差無く連続する箇所を備える請求項１、請求項３、請求項５、及び請求項６のいずれか一項に記載のランプ。
【請求項８】
前記複数の光源ユニットの前記カバー部材で囲まれる中央空間が形成され、
前記中央空間に配置されるリフレクターを備える請求項１から請求項７のいずれか一項に記載のランプ。
【請求項９】
前記複数の光源ユニットの前記カバー部材で囲まれる中央空間が形成され、
前記カバー部材は、前記中央空間に面する領域にある反射面を備える請求項１から請求項７のいずれか一項に記載のランプ。
【請求項１０】
前記複数の光源ユニットの前記カバー部材で囲まれる中央空間が形成され、
前記カバー部材は、前記中央空間に面する領域にある透明領域を備える請求項１から請求項７のいずれか一項に記載のランプ。
【請求項１１】
ねじ込み式の口金を備える請求項１から請求項１０のいずれか一項に記載のランプ。
【請求項１２】
前記複数の光源ユニットのうちの少なくとも一つは、前記ランプ軸線に対して平行または傾斜した方向を長手方向とする形状を有する請求項１から請求項１１のいずれか一項に記載のランプ。
【請求項１３】
前記光源基板は、配線と接続されるコネクタを備える請求項１から請求項１２のいずれか一項に記載のランプ。
【請求項１４】
前記光源基板に給電する配線が外部空間に露出せずに収納されている請求項１から請求項１３のいずれか一項に記載のランプ。
【請求項１５】
三個以上の前記光源ユニットを備え、
前記ランプ軸線に垂直な平面において、各々の前記光源ユニットの中心線を前記放熱フィンが突出する側へ延ばした半直線が、他の前記光源ユニットと交わらず、かつ、他の二つの前記光源ユニットの間を通らない請求項１から請求項１４のいずれか一項に記載のランプ。
【請求項１６】
二個の前記光源ユニットを備え、
一方の前記光源ユニットは、他方の前記光源ユニットを前記ランプ軸線を中心に１８０°回転移動した位置にあり、
前記ランプ軸線に垂直な平面において、前記一方の前記光源ユニットの中心線を前記放熱フィンが突出する側へ延ばした半直線が、前記他方の前記光源ユニットと交わらず、かつ、前記他方の前記光源ユニットの中心線を前記放熱フィンが突出する側へ延ばした半直線が、前記一方の前記光源ユニットと交わらない請求項１から請求項１４のいずれか一項に記載のランプ。
【請求項１７】
前記ランプ軸線に垂直な平面において、各々の前記光源ユニットの中心線を前記放熱フィンが突出する側へ延ばした半直線と、当該光源ユニットの中心と前記ランプ軸線とを結ぶ直線との間の劣角が９０°以上である請求項１から請求項１６のいずれか一項に記載のランプ。
【発明の詳細な説明】
【技術分野】
【０００１】
本発明は、ランプに関する。
【背景技術】
【０００２】
ＬＥＤ（Ｌｉｇｈｔ  Ｅｍｉｔｔｉｎｇ  Ｄｉｏｄｅ）のような発光素子を光源に用いたランプが広く用いられている。下記特許文献１には、発光素子が実装される実装基板を有する平板状の光源ユニットの裏面を内側に向け、ランプ中心軸の周りに、上記光源ユニットを複数配置したランプが開示されている。このランプは、光源ユニットの裏面側に、放熱フィン、及び、空気が流通する空間を設けている。
【先行技術文献】
【特許文献】
【０００３】
【特許文献１】特許第５５５９８２４号公報
【発明の概要】
【発明が解決しようとする課題】
【０００４】
大光束のランプでは、発光素子の温度が高くなりやすい。発光素子の発熱により発光素子の温度が高くなると、エネルギー消費効率が低下したり、発光素子の寿命が短くなったりする。そのため、発光素子の温度が高くならないように、発光素子の熱を散逸させる放熱性を良好にすることが望まれている。大光束のランプは、例えば、天井のように気温の高い環境に設置されたり、街路灯のように密閉される器具に組み込まれたりするので、発光素子の温度上昇を抑制することが難しい。特許文献１のランプでは、放熱フィンが複数の光源ユニットで囲まれた内側の空間にあるため、当該空間に熱がこもり易く、放熱フィンからの放熱性が良くない。
【０００５】
本発明は、上述のような課題を解決するためになされたもので、周囲への良好な配光と、フィンの放熱効率の向上とを両立できるとともに、組立性に優れたランプを提供することを目的とする。
【課題を解決するための手段】
【０００６】
本発明に係るランプは、ランプ軸線の周りに配置された複数の光源ユニットを備え、複数の光源ユニットのそれぞれは、発光素子が配置された発光面を有する光源基板と、光源基板の発光面の反対側にあるベース部と、ベース部に取り付けられ、光源基板の発光面を覆うカバー部材と、ベース部の光源基板と反対側の面から突出する放熱フィンと、を備え、カバー部材の少なくとも一部は、光を拡散透過させ、各々の光源ユニットは、放熱フィンが少なくとも部分的にランプ外周に面するように配置されているものである。
【発明の効果】
【０００７】
本発明によれば、周囲への良好な配光と、フィンの放熱効率の向上とを両立できるとともに、組立性に優れたランプを提供することが可能となる。
【図面の簡単な説明】
【０００８】
【図１】実施の形態１のランプの斜視図である。
【図２】実施の形態１のランプをランプ軸線の方向（ランプ先端側）から見た図である。
【図３】実施の形態１のランプの断面図である。
【図４】実施の形態１のランプが備える光源ユニットの分解斜視図である。
【図５】実施の形態１のランプが備える光源ユニットをランプ軸線の方向から見た図である。
【図６】実施の形態１のランプの周囲配光を示す配光図である。
【図７】実施の形態２のランプの斜視図である。
【図８】実施の形態２のランプをランプ軸線の方向（ランプ先端側）から見た図である。
【図９】実施の形態３のランプの断面斜視図である。
【図１０】実施の形態３のランプの斜視図である。
【図１１】実施の形態４のランプの斜視図である。
【図１２】実施の形態５のランプの斜視図である。
【図１３】実施の形態６のランプの斜視図である。
【図１４】実施の形態７のランプの斜視図である。
【図１５】実施の形態８のランプの斜視図である。
【図１６】実施の形態９のランプをランプ軸線の方向（ランプ先端側）から見た図である。
【図１７】実施の形態１０のランプをランプ軸線の方向（ランプ先端側）から見た図である。
【図１８】実施の形態１１のランプをランプ軸線の方向（ランプ先端側）から見た図である。
【図１９】実施の形態１２のランプをランプ軸線の方向（ランプ先端側）から見た図である。
【図２０】実施の形態１３のランプをランプ軸線の方向（ランプ先端側）から見た図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組合わせ可能な構成のあらゆる組合わせを含み得る。
【００１０】
実施の形態１．
図１は、実施の形態１のランプ１Ａの斜視図である。図２は、実施の形態１のランプ１Ａをランプ軸線ａｘの方向から見た図である。図３は、実施の形態１のランプ１Ａの断面図である。図４は、実施の形態１のランプ１Ａが備える光源ユニット３の分解斜視図である。図５は、実施の形態１のランプ１Ａが備える光源ユニット３をランプ軸線ａｘの方向から見た図である。
【００１１】
これらの図に示す本実施の形態のランプ１Ａの用途は、特に限定されるものではない。ランプ１Ａは、例えば、街路灯、道路灯、公園灯、高天井灯などの屋内及び屋外の照明器具に取り付け可能な、Ｈｉｇｈ  Ｉｎｔｅｎｓｉｔｙ  Ｄｉｓｃｈａｒｇｅｄ（ＨＩＤ）形のランプとして使用可能なものでもよい。ランプ１Ａは、例えば水銀ランプのような従来のＨＩＤ形ランプの代替として使用可能なものでもよい。
【００１２】
図１に示すように、本実施の形態のランプ１Ａは、口金２を備える。ランプ軸線ａｘは、口金２の中心を通る。ランプ軸線ａｘは、ランプ１Ａの中心軸に相当する。口金２は、例えば、Ｅ３９口金（Φ３９ｍｍ）、Ｅ２６口金（Φ２６ｍｍ）等のねじ込み式の口金でもよい。照明器具が備えるソケット（図示省略）に口金２を差し込むことでランプ１Ａが当該照明器具に装着されてもよい。ランプ１Ａは、口金２が上向きまたは斜め上向き、口金２が下向きまたは斜め下向き、口金２が横向きなど、いかなる姿勢で使用されてもよい。以下の説明では、ランプ１Ａの口金２側を「ランプ基端側」と称し、口金２と反対側を「ランプ先端側」と称し、ランプ軸線ａｘを中心とする周方向を「ランプ周方向」と称する。
【００１３】
ランプ１Ａは、ランプ軸線ａｘの周りに配置された、複数の同形の光源ユニット３を備える。本実施の形態では、ランプ１Ａは、三個の光源ユニット３を備える。図４及び図５に示すように、各々の光源ユニット３は、光源基板４、ベース部５、カバー部材６、及び放熱フィン７を備える。
【００１４】
光源基板４は、発光素子４ａが配置された発光面を有する。光源基板４の発光素子４ａは、例えば、発光ダイオード（ＬＥＤ）を備えるものでもよい。光源基板４の発光素子４ａは、指向性を持たない配光を有する拡散発光源となるものが好ましく、例えば、チップ・オン・ボード（ＣＯＢ）タイプのＬＥＤパッケージ、表面実装型ＬＥＤパッケージ、チップ・スケール・パッケージのＬＥＤのいずれかでもよい。光源基板４の発光素子４ａは、例えば、砲弾型ＬＥＤパッケージ、配光レンズ付きＬＥＤパッケージのような、指向性を持つ配光を有するものでもよい。光源基板４の発光素子４ａは、ＬＥＤを備えるものに限らず、例えば、有機エレクトロルミネセンス（ＥＬ）素子、半導体レーザなどを備えるものでもよい。
【００１５】
ベース部５は、光源基板４の裏面側にある。ベース部５は、光源基板４の発光面と反対側にある。ベース部５は、光源基板４、カバー部材６、及び放熱フィン７を支持する。ベース部５の形状は、板状でもよい。光源基板４の発光素子４ａで発生した熱は、光源基板４の裏面からベース部５へ熱伝導する。光源基板４をベース部５に固定する方法は、例えば、ネジ止め、接着など、いかなる方法でもよい。光源基板４とベース部５との間に、例えば、熱伝導性グリス、熱伝導性シート、熱伝導性接着剤、熱伝導性両面粘着テープのような熱伝導性材料（図示せず）が挟まれていてもよい。また、光源基板４とベース部５とが一体化していてもよい。ベース部５及び放熱フィン７は、高い熱伝導率を有する材料、例えば金属材料で形成されることが望ましい。
【００１６】
カバー部材６は、ベース部５に取り付けられている。カバー部材６の少なくとも一部は、光を拡散透過させる。カバー部材６は、光源基板４の発光面を覆う。カバー部材６は、光源基板４の発光面側に柱状内部空間９を形成する。柱状内部空間９は、ランプ軸線ａｘに平行な方向を長手方向とする柱状の空間である。本実施の形態におけるカバー部材６は、円柱面に沿う曲面を有する。当該曲面をランプ軸線ａｘに垂直な平面で切断した円弧の中心角は、１８０°より大きい。図示の構成のように、当該中心角は、２７０°程度でもよいし、２７０°より大きくてもよい。柱状内部空間９の形状は、円柱に近い形状である。
【００１７】
カバー部材６をベース部５に固定する方法は、例えば、ネジ止め、嵌合、接着など、いかなる方法でもよい。本実施の形態におけるカバー部材６は、ランプ先端側及びランプ基端側が開口した形状を有する。このような構成に限らず、カバー部材６は、ランプ先端側が閉じた先端面と、ランプ基端側が閉じた基端面との両方またはいずれか一方を有するものでもよい。カバー部材６が先端面あるいは基端面を備える場合には、カバー部材６の先端面あるいは基端面からランプ先端側あるいはランプ基端側へより良好に配光できる。
【００１８】
放熱フィン７は、ベース部５から突出する。放熱フィン７が突出するベース部５の面は、光源基板４と反対側の面である。本実施の形態では、放熱フィン７の形状は、板状である。平行する複数の放熱フィン７が設けられている。本実施の形態における放熱フィン７は、ランプ軸線ａｘと平行に延びる。このような構成に限らず、放熱フィン７がランプ軸線ａｘに対して垂直な方向に延びてもよいし、放熱フィン７がランプ軸線ａｘに対して斜めの方向に延びてもよい。放熱フィン７の形状は、板状に限らず、ピン形でもよい。放熱フィン７は、ベース部５と一体化していてもよい。放熱フィン７は、ランプ外部空間に露出する。ランプ外部空間は、柱状内部空間９の外部の空間である。
【００１９】
光源基板４から発せられた光は、柱状内部空間９へ放射される。柱状内部空間９へ放射された光は、カバー部材６を透過してランプ外部空間へ放射される。カバー部材６は、光を拡散透過させる。カバー部材６からランプ外部空間へ放射される光は、カバー部材６の表面の法線方向に放射されるだけでなく、カバー部材６の表面からあらゆる方向へ向かって放射される。
【００２０】
光源ユニット３は、柱状内部空間９内で光源基板４の発光面側を覆う光源カバー（図示省略）をさらに備えてもよい。当該光源カバーは、光を正透過させる、透明であることが望ましい。当該光源カバーは、光源基板４の全体を覆うようにして、ベース部５に対して取り付けられてもよい。すなわち、当該光源カバー及びベース部５で囲まれる閉空間に光源基板４が収納されてもよい。当該光源カバーは、例えば、ポリカーボネート樹脂、アクリル系樹脂、ポリスチレン樹脂などの樹脂材料で構成されてもよい。当該光源カバーの表面にハードコート処理が施されてもよい。当該光源カバーは、防水性を有してもよい。当該光源カバーとベース部５との接合部に、防水性を有するシール材または接着剤（図示省略）が備えられてもよい。当該シール材または接着剤は、例えば、軟性樹脂材料、シリコーン系などのシーリング材料、ゴム系材料などで構成されてもよい。当該光源カバーを設けることで、光源基板４を汚れあるいは水などから確実に保護することができ、発光素子４ａの劣化あるいは故障を確実に抑制できる。
【００２１】
図１に示すように、各々の光源ユニット３は、放熱フィン７が少なくとも部分的にランプ外周に面するように配置されている。本実施の形態では、各々の光源ユニット３は、すべての放熱フィン７がランプ外周に面するように配置されている。
【００２２】
光源基板４の発光素子４ａで発生した熱は、ベース部５から放熱フィン７へ熱伝導する。ベース部５及び放熱フィン７の表面から対流及び輻射により熱が散逸する。本実施の形態であれば、以下の効果が得られる。放熱フィン７を備えたことで、表面積を大きくできるので、放熱を促進できる。放熱フィン７がランプ外周に面しているので、放熱フィン７の近くに熱気がこもらない。放熱フィン７への通気性を良好にできる。対流及び輻射による放熱フィン７の放熱効率を高くできる。光源基板４の発光素子４ａの温度を低くできる。光源基板４の発光素子４ａの発光効率を高くできる。光源基板４の発光素子４ａの寿命を長くできる。光源基板４の発光素子４ａの搭載個数を多くした場合でも、放熱面積を十分に確保可能であるため、発光素子の温度を低くして発光効率を向上できる。よって、ランプ１Ａの大光束化への対応に有利である。
【００２３】
本実施の形態における光源ユニット３は、ランプ軸線ａｘに対して平行な方向を長手方向とする形状を有する。光源ユニット３の長手方向の長さを大きくすることで、ランプ１Ａの配光特性に影響することなく、光源基板４の面積を大きくできる。このため、ランプ１Ａの大光束化への対応に有利である。本実施の形態の構成に代えて、光源ユニット３の形状は、ランプ軸線ａｘに対して傾斜した方向を長手方向とする形状でもよい。その場合でも、本実施の形態と類似の効果が得られる。光源ユニット３は、例えば、リフレクター、レンズなどの他の構成要素（図示省略）をさらに備えてもよい。
【００２４】
図１に示すように、本実施の形態のランプ１Ａは、支持体１０及び口金保持部１１を備える。各々の光源ユニット３は、支持体１０に固定されている。支持体１０に口金保持部１１が接続されている。口金保持部１１に口金２が保持されている。図２に示すように、支持体１０は、各々の光源ユニット３へ向かって放射状に突出する複数の腕部１０ａを有する。光源ユニット３のベース部５は、腕部１０ａに対して固定されている。光源ユニット３と支持体１０との固定方法は、例えば、ネジ止め、凹部と凸部との嵌合、差し込み、スライド、接着、溶接など、いかなる方法でもよい。
【００２５】
図３は、ランプ軸線ａｘを含む平面でランプ１Ａを切断した断面図である。図３では、ランプ１Ａが備える三個の光源ユニット３のうちの１個の光源ユニット３のみを図示し、他の二個の光源ユニット３の図示を省略する。図３に示すように、口金２と光源基板４との間は、配線１２を介して電気的に接続されている。口金２に印加された電力が配線１２により光源基板４へ給電されることで、ランプ１Ａが点灯する。配線１２は、口金２、口金保持部１１及び支持体１０の内部に形成された空洞に収納されている。本実施の形態であれば、光源基板４に給電する配線１２が外部空間に露出せずに収納されていることで、配線１２を汚れなどから確実に保護できる。光源基板４は、配線１２と接続されるコネクタ４ｂを備える。ランプ１Ａの組立時に、コネクタ４ｂにより配線１２を光源基板４に電気的に接続できるので、組立性を良好にできる。
【００２６】
ベース部５、放熱フィン７、支持体１０、及び口金保持部１１の表面特性は、光拡散性及び高反射性を有することが望ましい。例えば、ベース部５、放熱フィン７、口金保持部１１、及び支持体１０の表面に、高反射白色塗装が施されてもよい。これらの構成によれば、ランプ１Ａの周囲への光の拡散を向上でき、広配光化が図れる。
【００２７】
支持体１０は、高い熱伝導率を有する材料、例えば金属材料で構成することが望ましい。ベース部５から支持体１０へ熱伝導することで、支持体１０の表面からも放熱でき、放熱性がさらに向上する。口金保持部１１の少なくとも一部は、絶縁性を有する樹脂材料で構成されてもよい。
【００２８】
本実施の形態であれば、ランプ１Ａの点灯時に、各光源ユニット３の柱状内部空間９の光がカバー部材６を透過することで、あらゆる方向に拡散された光がランプ外部空間へ放射される。これにより、以下の効果が得られる。ランプ周方向の照射むらが少なく、全周囲配光、または全周囲配光に近い配光が得られる。すなわち、ランプ軸線ａｘからの光度が、方向によらず、ほぼ均一にできる。輝度むらを小さくできる。カバー部材６の表面に、光源基板４の光源のイメージあるいは輪郭が目立たないようになる。
【００２９】
図６は、実施の形態１のランプ１Ａの周囲配光を示す配光図である。図６に示す周囲配光形状５０は、実施の形態１のランプ１Ａのランプ軸線ａｘから遠く離れた位置における周囲配光形状である。このように、本実施の形態のランプ１Ａの周囲配光形状５０は、ほぼ円形であり、極めて良好な形状である。すなわち、ランプ軸線ａｘから遠い距離におけるランプ１Ａの照度分布は、ランプ周方向に沿ってほぼ一定になる。比較例の周囲配光形状６０は、ランプ１Ａのカバー部材６が無いと仮定した場合の周囲配光形状である。カバー部材６が無いと仮定した場合には、各光源ユニット３から光源基板４の法線方向に光が放射され、その放射された光の一部は、他の光源ユニット３によって遮られる。このため、比較例の周囲配光形状６０は、各光源ユニット３から放射された光が、他の二つの光源ユニット３の間を通ってランプ周囲へ放射される形状となり、良好な周囲配光形状とならない。
【００３０】
カバー部材６は、拡散剤となる粒子が基材に分散された乳白色の樹脂材料で構成されることが望ましい。カバー部材６は、高い曇り度（ヘーズ）及び高い全光線透過率を有することが望ましい。カバー部材６の基材は、例えば、優れた強度耐性、耐熱性、及び耐水性を有するポリカーボネート樹脂でもよい。カバー部材６の基材がポリカーボネート樹脂である場合には、カバー部材６の表面及び裏面にアクリル系樹脂のハードコート処理を施すことで、耐光性（耐変色）をさらに向上してもよい。カバー部材６の基材は、その他の樹脂、例えば、アクリル系樹脂、ポリスチレン樹脂などでもよい。カバー部材６の拡散剤は、例えば、シリコーン系微粒子、アクリル系微粒子、ポリスチレン微粒子などでもよい。カバー部材６が上記のような樹脂材料で構成されることで、上述したカバー部材６による効果をより確実に奏することが可能となる。
【００３１】
カバー部材６は、上記の構成に代えて、透明基材の表面にディンプル加工あるいはシボ加工のような微細な凹凸を形成したものでもよい。その場合には、ランプ１Ａの点灯時、カバー部材６の表面に、光源基板４の各光源のイメージあるいは輪郭が目立つ可能性がある。
【００３２】
図２に示すように、ランプ１Ａが備える三個の光源ユニット３は、ランプ軸線ａｘから等距離、かつ、ランプ軸線ａｘの周りに等角度間隔（本実施の形態１では１２０°間隔）で配置されている。各々の光源ユニット３は、他の光源ユニット３をランプ軸線ａｘを中心に回転移動した位置にある。各々の光源ユニット３は、隣り合う光源ユニット３をランプ軸線ａｘを中心に１２０°回転移動した位置にある。
【００３３】
本実施の形態であれば、カバー部材６が円柱面に沿う曲面を有することで、各々のカバー部材６の表面から周囲の広い方向へ光を放射できる。このため、配光形状の均一性がより高くなる。
【００３４】
本実施の形態では、各々の光源ユニット３のカバー部材６は、当該光源ユニット３に隣り合う光源ユニット３のカバー部材６に対して非接触である。各々の光源ユニット３のカバー部材６と、当該光源ユニット３に隣り合う光源ユニット３のカバー部材６との間には、空間がある。本実施の形態であれば、各々の光源ユニット３から放射された光の一部は、他の二つの光源ユニット３のカバー部材６の間の空間を通って、ランプ１Ａの外側へ放射されることが可能である。このため、配光形状の均一性がより高くなる。
【００３５】
図４及び図５に示すように、光源基板４、ベース部５、カバー部材６、及び放熱フィン７が一体となって一つの光源ユニット３が形成される。本実施の形態であれば、そのような光源ユニット３を複数組み合わせることで、ランプ１Ａの主要部を組み立てることが可能である。このため、ランプ１Ａは、組立性に優れており、製造コストの低減に有利である。また、光源ユニット３の搭載個数を変えることで、光束クラスの異なるランプを容易に製造できる。光源ユニット３の搭載個数を変えるには、例えば、支持体１０を形の異なるものに変えればよい。例えば、四個の光源ユニット３を取り付け可能な支持体１０を用意することで、ランプ１Ａよりも光束の大きいランプを製造できる。
【００３６】
実施の形態１では、ランプ１Ａが備える光源ユニット３の数が三個の例を説明した。このような構成に限らず、本発明のランプが備える光源ユニット３の数は、二個でもよいし、四個以上でもよい。複数の光源ユニット３は、ランプ軸線ａｘから等距離、かつ、ランプ軸線ａｘの周りに等角度間隔で配置されることが望ましい。ランプが三個以上の光源ユニット３を備える場合には、ランプ周方向における配光むら及び輝度むらを小さくする上で特に有利になる。
【００３７】
実施の形態２．
次に、図７及び図８を参照して、実施の形態２について説明するが、前述した実施の形態１との相違点を中心に説明し、前述した要素と共通または対応する要素には、同一の符号を付して、重複する説明を簡略化または省略する。図７は、実施の形態２のランプ１Ｂの斜視図である。図８は、実施の形態２のランプ１Ｂをランプ軸線ａｘの方向（ランプ先端側）から見た図である。本実施の形態２は、下記の事項以外は、実施の形態１と同様である。
【００３８】
図７及び図８に示すように、本実施の形態２のランプ１Ｂが備える各々の光源ユニット３のカバー部材６は、当該光源ユニット３に隣り合う光源ユニット３のカバー部材６に対して接する。ランプ１Ｂでは、複数の光源ユニット３のカバー部材６で囲まれる中央空間１３が形成される。
【００３９】
本実施の形態２であれば、実施の形態１と類似の効果に加えて、以下の効果が得られる。ランプ１Ｂの製造時に、カバー部材６の位置決めをする際、カバー部材６を適正な位置に容易に位置決めできる。組立作業が容易になり、組立性が向上する。ランプ１Ｂの使用状態において、例えば、周囲から振動が伝わった場合であっても、カバー部材６が振動することを確実に抑制でき、カバー部材６の劣化及び破損を確実に抑制できる。
【００４０】
カバー部材６とカバー部材６とが接する箇所に、嵌合部を設けたり、接着部を設けたりすることで、隣接するカバー部材６同士を連結してもよい。そのようにすることで、より強固な組み立て状態が得られ、振動に対してカバー部材６をより確実に保護することが可能となる。
【００４１】
実施の形態３．
次に、図９及び図１０を参照して、実施の形態３について説明するが、前述した実施の形態２との相違点を中心に説明し、前述した要素と共通または対応する要素には、同一の符号を付して、重複する説明を簡略化または省略する。図９は、実施の形態３のランプ１Ｃの断面斜視図である。図１０は、実施の形態３のランプ１Ｃの斜視図である。図９は、ランプ軸線ａｘに垂直な平面でランプ１Ｃを切断した図である。図１０は、ランプ１Ｃが備える三個のカバー部材６を除去した状態の図である。
【００４２】
これらの図に示すように、本実施の形態３のランプ１Ｃは、複数の光源ユニット３のカバー部材６で囲まれる中央空間１３に配置されるリフレクター１４を備える。リフレクター１４は、中央空間１３の内面に対向する反射面１４ａを備える。カバー部材６から中央空間１３へ向けて出射した光は、反射面１４ａで反射して柱状内部空間９に戻る。柱状内部空間９に戻ったその光は、カバー部材６の他の位置からカバー部材６を透過してランプ外部空間へ放射される。
【００４３】
前述した実施の形態２では、カバー部材６から中央空間１３へ出射した光が、中央空間１３内で反射を繰り返すことで光エネルギーが損なわれる可能性がある。これに対し、本実施の形態３であれば、そのような光エネルギーの損失を防ぐことができる。本実施の形態３であれば、そのほか、実施の形態２と同様の効果が得られる。
【００４４】
実施の形態４．
次に、図１１を参照して、実施の形態４について説明するが、前述した実施の形態２との相違点を中心に説明し、前述した要素と共通または対応する要素には、同一の符号を付して、重複する説明を簡略化または省略する。図１１は、実施の形態４のランプ１Ｄの斜視図である。
【００４５】
図１１に示すように、本実施の形態４のランプ１Ｄにおけるカバー部材６は、反射面６ａを備える。反射面６ａは、複数の光源ユニット３のカバー部材６で囲まれる中央空間１３に面する領域にある。反射面６ａは、例えば、蒸着などにより形成した金属膜でもよいし、反射フィルムを貼り付けることで形成されたものでもよい。本実施の形態であれば、柱状内部空間９の光が反射面６ａで反射されるため、柱状内部空間９の光が中央空間１３へ出射することが抑制される。反射面６ａで反射した光は、カバー部材６の他の位置からカバー部材６を透過してランプ外部空間へ放射される。
【００４６】
前述した実施の形態２では、カバー部材６から中央空間１３へ出射した光が、中央空間１３内で反射を繰り返すことで光エネルギーが損なわれる可能性がある。これに対し、本実施の形態４であれば、そのような光エネルギーの損失を防ぐことができる。本実施の形態４であれば、そのほか、実施の形態２と同様の効果が得られる。
【００４７】
実施の形態５．
次に、図１２を参照して、実施の形態５について説明するが、前述した実施の形態２との相違点を中心に説明し、前述した要素と共通または対応する要素には、同一の符号を付して、重複する説明を簡略化または省略する。図１２は、実施の形態５のランプ１Ｅの斜視図である。
【００４８】
図１２に示すように、本実施の形態４のランプ１Ｅにおけるカバー部材６は、透明領域６ｂを備える。透明領域６ｂは、複数の光源ユニット３のカバー部材６で囲まれる中央空間１３に面する領域にある。透明領域６ｂは、透明である。透明領域６ｂは、光を正透過させる。本実施の形態であれば、柱状内部空間９から透明領域６ｂを透過して中央空間１３へ出射した光が、再び透明領域６ｂを透過して柱状内部空間９へ容易に戻ることができる。
【００４９】
前述した実施の形態２では、カバー部材６から中央空間１３へ出射した光が、中央空間１３内で反射を繰り返すことで光エネルギーが損なわれる可能性がある。これに対し、本実施の形態５であれば、その反射回数を減らすことができ、光エネルギーの損失を防ぐことができる。本実施の形態５であれば、そのほか、実施の形態２と同様の効果が得られる。
【００５０】
実施の形態６．
次に、図１３を参照して、実施の形態６について説明するが、前述した実施の形態１との相違点を中心に説明し、前述した要素と共通または対応する要素には、同一の符号を付して、重複する説明を簡略化または省略する。図１３は、実施の形態６のランプ１Ｆの斜視図である。
【００５１】
図１３に示すように、本実施の形態６のランプ１Ｆにおけるカバー部材６の外形は、角柱状である。カバー部材６により形成される柱状内部空間９の形状は、五角柱に近い形状である。ランプ１Ｆが備える各々の光源ユニット３のカバー部材６は、当該光源ユニット３に隣り合う光源ユニット３のカバー部材６に対して接する。ランプ１Ｆは、面接触部１５を備える。隣り合う光源ユニット３のカバー部材６同士は、面接触部１５にて面接触する。面接触部１５では、カバー部材６が形成する角柱の側面と、当該カバー部材６に隣り合うカバー部材６が形成する角柱の側面とが面接触する。
【００５２】
本実施の形態６であれば、実施の形態１と類似の効果に加えて、以下の効果が得られる。ランプ１Ｆの製造時に、カバー部材６の位置決めをする際、カバー部材６を適正な位置に容易に位置決めできる。組立作業が容易になり、組立性が向上する。ランプ１Ｆの使用状態において、例えば、周囲から振動が伝わった場合であっても、カバー部材６が振動することを確実に抑制でき、カバー部材６の劣化及び破損を確実に抑制できる。特に、カバー部材６同士が面接触部１５にて面接触することで、上記の効果をより確実に奏することが可能となる。
【００５３】
カバー部材６とカバー部材６とが接する箇所に、嵌合部を設けたり、接着部を設けたりすることで、隣接するカバー部材６同士を連結してもよい。そのようにすることで、より強固な組み立て状態が得られ、振動に対してカバー部材６をより確実に保護することが可能となる。カバー部材６の面接触部１５を透明にしてもよい。カバー部材６の面接触部１５は、光を正透過させてもよい。そのようにすることで、光が面接触部１５を透過するときのロスを低減できる。
【００５４】
本実施の形態のランプ１Ｆは、隣り合う二つの光源ユニット３のカバー部材６同士の外面が、段差無く連続する連続箇所１６を備える。本実施の形態であれば、連続箇所１６を備えることで、隣り合う二つの光源ユニット３のカバー部材６同士の継ぎ目が目立たないようにすることが可能となる。
【００５５】
実施の形態７．
次に、図１４を参照して、実施の形態７について説明するが、前述した実施の形態２との相違点を中心に説明し、前述した要素と共通または対応する要素には、同一の符号を付して、重複する説明を簡略化または省略する。図１４は、実施の形態７のランプ１Ｇの斜視図である。
【００５６】
本実施の形態７のランプ１Ｇは、実施の形態２のランプ１Ｂと比べて、放熱フィン７の形態が異なること以外は同じである。図１４に示すように、本実施の形態における光源ユニット３は、実施の形態２に比べて、長さが短く、数が多い放熱フィン７を備える。これらの放熱フィン７は、千鳥配置になっている。
【００５７】
前述した実施の形態２のランプ１Ｂが、ランプ軸線ａｘを鉛直方向とする姿勢で使用される場合を想定すると、以下のようになる。下の部分の放熱フィン７から熱を受けて温まった空気が放熱フィン７に沿って上昇する。放熱フィン７の上部では、そのような自然対流により温まった温度境界層が厚みを持ち、放熱性が低下する可能性がある。
【００５８】
これに対し、本実施の形態７であれば、放熱フィン７を千鳥配置としたことで、以下の効果が得られる。各々の放熱フィン７の長さが短いため、放熱フィン７の表面の温度境界層が大きな厚みを持たないようにすることができ、放熱フィン７の放熱効率が高まる。隣り合う放熱フィン７同士の温度境界層の厚みが重ならないように、放熱フィン７をずらして配置することで、高い放熱効果が得られる。
【００５９】
実施の形態８．
次に、図１５を参照して、実施の形態８について説明するが、前述した実施の形態２との相違点を中心に説明し、前述した要素と共通または対応する要素には、同一の符号を付して、重複する説明を簡略化または省略する。図１５は、実施の形態８のランプ１Ｈの斜視図である。
【００６０】
本実施の形態８のランプ１Ｈは、実施の形態２のランプ１Ｂと比べて、放熱フィン７の形態が異なること以外は同じである。図１５に示すように、本実施の形態８における放熱フィン７の形状は、ランプ軸線ａｘに対して斜めの方向に延びる板状である。
【００６１】
本実施の形態８であれば、以下の効果が得られる。ランプ軸線ａｘを鉛直方向とする姿勢でランプ１Ｈが使用される場合だけでなく、ランプ軸線ａｘを水平方向とする姿勢でランプ１Ｈが使用される場合においても、放熱フィン７の表面に沿って自然対流を良好に生じさせることが可能となる。このため、ランプ１Ｈが設置される向きにかかわらず、高い放熱効果が得られる。
【００６２】
実施の形態９．
次に、図１６を参照して、実施の形態９について説明するが、前述した実施の形態１との相違点を中心に説明し、前述した要素と共通または対応する要素には、同一の符号を付して、重複する説明を簡略化または省略する。図１６は、実施の形態９のランプ１Ｊをランプ軸線ａｘの方向（ランプ先端側）から見た図である。図１６では、ランプ１Ｊが備える複数の光源ユニット３のみを図示し、口金２、支持体１０、口金保持部１１等の他の構成要素の図示を省略する。
【００６３】
図１６に示すように、ランプ１Ｊが備える三個の光源ユニット３の各々は、放熱フィン７が少なくとも部分的にランプ外周に面するように配置されている。ランプ軸線ａｘに垂直な平面において、各々の光源ユニット３の中心線を放熱フィン７が突出する側へ延ばした半直線７０は、他の光源ユニット３と交わらず、かつ、他の二つの光源ユニット３の間を通らない。
【００６４】
三個以上の光源ユニット３を備える場合には、上記のように、ランプ軸線ａｘに垂直な平面において、各々の光源ユニット３の中心線を放熱フィン７が突出する側へ延ばした半直線７０が、他の光源ユニット３と交わらず、かつ、他の二つの光源ユニット３の間を通らないように各光源ユニット３を配置することで、以下の効果が得られる。各々の光源ユニット３の放熱フィン７が少なくとも部分的にランプ外周に面することとなるため、放熱フィン７の近くに熱気がこもらず、放熱フィン７への通気性を良好にできる。すなわち、実施の形態１と類似の効果が得られる。
【００６５】
実施の形態１０．
次に、図１７を参照して、実施の形態１０について説明するが、前述した実施の形態２との相違点を中心に説明し、前述した要素と共通または対応する要素には、同一の符号を付して、重複する説明を簡略化または省略する。図１７は、実施の形態１０のランプ１Ｋをランプ軸線ａｘの方向（ランプ先端側）から見た図である。図１７では、ランプ１Ｋが備える複数の光源ユニット３のみを図示し、口金２、支持体１０、口金保持部１１等の他の構成要素の図示を省略する。
【００６６】
図１７に示すように、ランプ１Ｋは、三個の光源ユニット３を備える。ランプ軸線ａｘに垂直な平面において、各々の光源ユニット３の中心線を放熱フィン７が突出する側へ延ばした半直線７０は、他の光源ユニット３と交わらず、かつ、他の二つの光源ユニット３の間を通らない。ランプ軸線ａｘに垂直な平面において、各々の光源ユニット３の上記の半直線７０と、当該光源ユニット３の中心７１とランプ軸線ａｘとを結ぶ直線７２との間の劣角θは、９０°以上である。
【００６７】
上記のように、ランプ軸線ａｘに垂直な平面において、各々の光源ユニット３の中心線を放熱フィン７が突出する側へ延ばした半直線７０と、当該光源ユニット３の中心７１とランプ軸線ａｘとを結ぶ直線７２との間の劣角θが９０°以上であれば、以下の効果が得られる。各々の光源ユニット３の放熱フィン７が少なくとも部分的にランプ外周に面することとなるため、放熱フィン７の近くに熱気がこもらず、放熱フィン７への通気性を良好にできる。すなわち、実施の形態２と類似の効果が得られる。
【００６８】
実施の形態１１．
次に、図１８を参照して、実施の形態１１について説明するが、前述した実施の形態２との相違点を中心に説明し、前述した要素と共通または対応する要素には、同一の符号を付して、重複する説明を簡略化または省略する。図１８は、実施の形態１１のランプ１Ｌをランプ軸線ａｘの方向（ランプ先端側）から見た図である。図１８では、ランプ１Ｌが備える複数の光源ユニット３のみを図示し、口金２、支持体１０、口金保持部１１等の他の構成要素の図示を省略する。
【００６９】
図１８に示すように、ランプ１Ｌは、二個の光源ユニット３を備える。ランプ１Ｌの一方の光源ユニット３のカバー部材６は、他方の光源ユニット３のカバー部材６に接する。ランプ１Ｌの一方の光源ユニット３は、他方の光源ユニット３を、ランプ軸線ａｘを中心に１８０°回転移動した位置にある。このように、光源ユニット３を二個備える場合には、一方の光源ユニット３の配置が、他方の光源ユニット３を、ランプ軸線ａｘを中心に１８０°回転移動した配置になるようにすることで、ランプ周囲への配光形状を良好にできる。
【００７０】
ランプ軸線ａｘに垂直な平面において、ランプ１Ｌの一方の光源ユニット３の中心線を放熱フィン７が突出する側へ延ばした半直線７０は、他方の光源ユニット３と交わらず、かつ、他方の光源ユニット３の中心線を放熱フィン７が突出する側へ延ばした半直線７０は、一方の光源ユニット３と交わらない。このような構成により、以下の効果が得られる。各々の光源ユニット３の放熱フィン７が少なくとも部分的にランプ外周に面することとなるため、放熱フィン７の近くに熱気がこもらず、放熱フィン７への通気性を良好にできる。すなわち、実施の形態２と類似の効果が得られる。
【００７１】
実施の形態１２．
次に、図１９を参照して、実施の形態１２について説明するが、前述した実施の形態１１との相違点を中心に説明し、前述した要素と共通または対応する要素には、同一の符号を付して、重複する説明を簡略化または省略する。図１９は、実施の形態１２のランプ１Ｍをランプ軸線ａｘの方向（ランプ先端側）から見た図である。図１９では、ランプ１Ｍが備える複数の光源ユニット３のみを図示し、口金２、支持体１０、口金保持部１１等の他の構成要素の図示を省略する。
【００７２】
図１９に示すように、ランプ１Ｍは、二個の光源ユニット３を備える。ランプ１Ｍの一方の光源ユニット３のカバー部材６は、他方の光源ユニット３のカバー部材６に対して非接触である。ランプ１Ｍの一方の光源ユニット３は、他方の光源ユニット３を、ランプ軸線ａｘを中心に１８０°回転移動した位置にある。ランプ軸線ａｘに垂直な平面において、ランプ１Ｍの一方の光源ユニット３の中心線を放熱フィン７が突出する側へ延ばした半直線７０は、他方の光源ユニット３と交わらず、かつ、他方の光源ユニット３の中心線を放熱フィン７が突出する側へ延ばした半直線７０は、一方の光源ユニット３と交わらない。本実施の形態１２であれば、実施の形態１１と類似の効果が得られる。
【００７３】
実施の形態１３．
次に、図２０を参照して、実施の形態１３について説明するが、前述した実施の形態１１との相違点を中心に説明し、前述した要素と共通または対応する要素には、同一の符号を付して、重複する説明を簡略化または省略する。図２０は、実施の形態１３のランプ１Ｎをランプ軸線ａｘの方向（ランプ先端側）から見た図である。図２０では、ランプ１Ｎが備える複数の光源ユニット３のみを図示し、口金２、支持体１０、口金保持部１１等の他の構成要素の図示を省略する。
【００７４】
図２０に示すように、ランプ１Ｎは、二個の光源ユニット３を備える。ランプ１Ｎの一方の光源ユニット３は、他方の光源ユニット３を、ランプ軸線ａｘを中心に１８０°回転移動した位置にある。ランプ軸線ａｘに垂直な平面において、ランプ１Ｎの一方の光源ユニット３の中心線を放熱フィン７が突出する側へ延ばした半直線７０は、他方の光源ユニット３と交わらず、かつ、他方の光源ユニット３の中心線を放熱フィン７が突出する側へ延ばした半直線７０は、一方の光源ユニット３と交わらない。ランプ軸線ａｘに垂直な平面において、各々の光源ユニット３の上記の半直線７０と、当該光源ユニット３の中心７１とランプ軸線ａｘとを結ぶ直線７２との間の劣角θは、９０°である。この劣角θが９０°以上であれば、放熱フィン７への通気性を十分に良好にできる。
【符号の説明】
【００７５】
１Ａ，１Ｂ，１Ｃ，１Ｄ，１Ｅ，１Ｆ，１Ｇ，１Ｈ，１Ｊ，１Ｋ，１Ｌ，１Ｍ，１Ｎ  ランプ、  ２  口金、  ３  光源ユニット、  ４  光源基板、  ４ａ  発光素子、  ４ｂ  コネクタ、  ５  ベース部、  ６  カバー部材、  ６ａ  反射面、  ６ｂ  透明領域、  ７  放熱フィン、  ９  柱状内部空間、  １０  支持体、  １０ａ  腕部、  １１  口金保持部、  １２  配線、  １３  中央空間、  １４  リフレクター、  １４ａ  反射面、  １５  面接触部、  １６  連続箇所、  ５０  周囲配光形状、  ６０  周囲配光形状、  ７０  半直線、  ７１  中心、  ７２  直線
【図１】
2018014302.tif 000003
【図２】
2018014302.tif 000004
【図３】
2018014302.tif 000005
【図４】
2018014302.tif 000006
【図５】
2018014302.tif 000007
【図６】
2018014302.tif 000008
【図７】
2018014302.tif 000009
【図８】
2018014302.tif 000010
【図９】
2018014302.tif 000011
【図１０】
2018014302.tif 000012
【図１１】
2018014302.tif 000013
【図１２】
2018014302.tif 000014
【図１３】
2018014302.tif 000015
【図１４】
2018014302.tif 000016
【図１５】
2018014302.tif 000017
【図１６】
2018014302.tif 000018
【図１７】
2018014302.tif 000019
【図１８】
2018014302.tif 000020
【図１９】
2018014302.tif 000021
【図２０】
2018014302.tif 000022